(57)【要約】【課題】より小型のモーターや吸気機を用いることができ、紙幣計算機の軽量化や体積の低減及びコストの節約等の目的を実現できる紙幣計算機の吸引レバーの構造を提供する。【解決手段】  本考案の紙幣計算機の吸引レバーの構造は、中空のプラスチックレバーと、高さがプラスチックレバーのレバーヘッドより少し低い、レバーヘッド上に固定される金属リングとからなり、レバーヘッド上には、少なくとも一つの吸気孔が設けられ、金属リングと吸気孔と接合して対向するとことには、複数の幅が0.3ミリメートルである吸引穴が設けられることにより、紙幣計算する時、吸引レバーが一回複数枚の紙幣を吸引することにより計算正確性が低下する欠点を改善し、正確的に計算でき、また、吸引レバーは、プラスチックレバーと金属リングとから組み立てられ、吸引レバーの工程は、より加工しやすくて重量が軽い。【選択図】図１
0003111192.tif 000002
【実用新案登録請求の範囲】
【請求項１】
中空のレバー状であり、その上側にあるレバーヘッドに、平面的な外表面が設けられ、その上に、少なくとも一つの吸気孔が設けられ、下縁に、表面にスレッドがあるレバーテールが設けられ、スレッドにより、回転ホイール上に螺合されるプラスチックレバーと、
高さが当該プラスチックレバーの当該レバーヘッドより少し低い、当該レバーヘッド上に固定される当該金属リングと当該吸気孔と接合して対向するところに、複数の幅が0.2〜0.4ミリメートル（MM）である吸引穴が設けられる金属リングと、
が含有されることを特徴とする紙幣計算機の吸引レバーの構造改良。
【請求項２】
当該レバーヘッドの中空部上縁には、封止カバーが嵌合され、吸気機は、当該吸引穴だけを介して吸気することを特徴とする請求項1に記載の紙幣計算機の吸引レバーの構造改良。
【請求項３】
当該レバーヘッドの外部において、表面がやや厚い一側には、当該金属リングの一つのバックルが嵌入されるための凹槽が設けられることを特徴とする請求項1に記載の紙幣計算機の吸引レバーの構造改良。
【請求項４】
当該レバーヘッドの上下両凸縁は、当該金属リングの両端に係合され、当該金属リングは、上下へ移動できないことを特徴とする請求項1に記載の紙幣計算機の吸引レバーの構造改良。
【請求項５】
当該プラスチックレバーの一つのレバー体上には、当該レバー体と当該レバーテールとを隔離するフラットな円盤が設けられることを特徴とする請求項4に記載の紙幣計算機の吸引レバーの構造改良。
【請求項６】
当該吸引穴の幅は、0.3ミリメートルであることを特徴とする請求項1に記載の紙幣計算機の吸引レバーの構造改良。
【考案の詳細な説明】
【技術分野】
【０００１】
本考案は、紙幣計算機の吸引レバーの構造改良に関し、特に、紙幣計算機の吸引レバーの透気穴のサイズ改良に関する。
【背景技術】
【０００２】
人類の文明において、最初の物の交換から、銀銭やコインが用いられるなどのいろんな変化や改良を介して、今のように、紙幣が登場したが、金額の異なる紙幣の登場により、重いお金を持ち歩かなくても、膨大な消費能力を持ち、そして、近年来、技術の発展や工商業の発達に従って、銀行や金融機関は、大量な現金を処理することに頭が痛み、そのため、紙幣計算機が登場した。
【０００３】
従来の紙幣計算機は、多い部品が硬質の金属を使い、例えば、吸引レバーであって、吸引レバーが製作しにくく且つ重いし、従来の吸引レバーの表面に、一つだけの吸引穴を貫通し、吸引レバーで紙幣を吸引する場合、吸引できないや吸引しすぎの現象が起こり、最悪の場合、紙幣が変形することになるため、計算が不正確的であり、実用上、不十分なところがある。
【０００４】
従来の他の実施態様は、吸引レバーの表面に、複数の吸引穴を貫通し、それにより、紙幣を吸引することが容易になり、そして、計算する時の紙幣の変形が解消され、紙幣計算機で紙幣を計算する時、より正確的になるが、紙幣に穴が空いている場合であれば、吸引レバーが、一回二枚以上の紙幣を吸引するから、計算の正確性が悪化し、運営全体に悪い影響を与える。
【０００５】
そのため、本考案は、上記の問題を解決するため、上記の問題を解決できる、紙幣計算機の吸引レバーの構造改良を提供する。
【考案の開示】
【考案が解決しようとする課題】
【０００６】
本考案の主な目的は、吸引レバーの表面にある複数の吸引穴の幅を0.3ミリメートル（MM）に縮小することにより、吸引レバーが一回多数の紙幣を吸引して、正確性が低減する欠点を解消できる、紙幣計算機の吸引レバーの構造改良を提供する。
【０００７】
本考案の他の目的は、プラスチックレバーと金属リングの組み立てにより、吸引レバーを構成することにより、吸引レバーの工程の簡素化且つ重量の低下化を実現できる、紙幣計算機の吸引レバーの構造改良を提供する。
【０００８】
本考案の更に他の目的は、吸引レバーを軽量化することにより、より小型のモーターや吸気機が使えるようになり、紙幣計算機の体積の縮小や重量の低減及びコストの節約を実現できる、紙幣計算機の吸引レバーの構造改良を提供する。
【０００９】
本考案の更に他の目的は、金属リング上に複数の吸引穴を設け、複数の吸引穴で紙幣を吸引することにより、計算する時、紙幣をより容易に吸引できる且つ正確的である、紙幣計算機の吸引レバーの構造改良を提供する。
【００１０】
本考案の更に他の目的は、様々のタイプの機構や金融銀行の大量な貨幣清算において、過ちのない且つ損失の少ない貨幣の計算作業に適合する、紙幣計算機の吸引レバーの構造改良を提供する。
【課題を解決するための手段】
【００１１】
本考案は、上記の目的を達成するため、中空のプラスチックレバーと、高さがプラスチックレバーのレバーヘッドより少し低い、レバーヘッド上に固定される金属リングとからなる紙幣計算機の吸引レバーの構造改良を提供し、このプラスチックレバーの上側にあるレバーヘッドには、平面的な外表面が設けられ、その上には、少なくとも一つの吸気孔が設けられ、レバーヘッドの下縁には、表面にスレッドがあるレバーテールが設けられ、スレッドにより、回転ホイール上に螺合され、この金属リングと吸気孔と接合して対向するところには、複数の幅が0.2〜0.4ミリメートルである吸引穴が設けられる紙幣計算機の吸引レバーの構造改良を提供する。
【００１２】
以下、具体な実施例に加え、図面を参照しながら、本考案に係わる目的や技術内容、特徴及び効果を詳しく説明する。
【考案を実施するための最良の形態】
【００１３】
本考案は、紙幣計算機の吸引レバーの構造改良であり、図1、2を参照しながら、本考案に係わる紙幣計算機の吸引レバー2は、射出成形のプラスチックレバー4と、金属リング6とから組み立てられ、このプラスチックレバー4は、中空のレバー状であり、更に、レバーヘッド8、レバー体10、及びレバーテール12等の三つの部分に分けられ、プラスチックレバー4上側のレバーヘッド8には、平面設計である外表面が設けられ、その上には、貫通する少なくとも一つの吸気孔14があり、また、吸引レバー2上縁には、吸気機（図に未表示）が吸気する時、金属リング6と吸気孔14とが接合するところを貫通する複数の吸引穴18だけを介して紙幣を吸引するための、封止カバー16が嵌合され、レバーヘッド8の外部において、表面がやや厚い一側には、金属リング6が嵌入されるための凹槽20が設けられ、プラスチックレバー4の下縁には、表面にスレッドが固設されるレバーテール12が設けられ、図3を参照しながら、プラスチックレバー4は、スレッドによって、回転ホイール30上にロックされ、レバー体10は、円柱レバーであり、下方には、レバー体10とレバーテール12とを隔離するフラットな円盤22が固設され、レバーヘッド10上において、下縁の両側に、金属リング6と接合するためのレールを形成する凸縁24、26が凸設され、金属リング6の高さは、レバーヘッド8よりやや低く、レバーヘッド8のレールに接合される時、レバーヘッド8の上凸縁24と下凸縁26は、金属リング6の両端に係合され、これにより、金属リング6は、上下へ移動できず、また、金属リング6の一つのバックル28がレバーヘッド8の厚い側の凹槽20に嵌入されることにより、金属リング6は、更に固定され、また、金属リング6と吸気孔14と接合するところには、幅が0.2〜0.4ミリメートルである複数の吸引穴18が設けられ、吸引穴18の幅は、好ましいのが、0.3ミリメートルであり、これにより、吸引穴18が紙幣を吸引して計算する時、紙幣は、変形せず、また、吸引レバー2が紙幣を吸引することは、容易的になり、紙幣計算機の計算は、より正確的である。
【００１４】
本考案を実施する時、図3を参照しながら、吸引レバー2の下方は、回転ホイール30上にロックされ、回転ホイール30の中心には、吸気機（図に未表示）を連結するための吸気管が固設され、モーターが稼働することに従って、回転ホイール30上の吸引レバー2が稼働され、吸引レバー2が挟み板32まで移動すると、吸引穴18により、挟み板32にある紙幣が吸引され、紙幣の計算が完成される。そして、図4を参照しながら、複数の吸引穴18の幅は、0.3ミリメートルに小さくして、吸引の単位面積が縮小され、これにより、紙幣に穴が空いている時、従来の吸引レバーが一回、二枚以上の紙幣を吸引することを徹底的に解消するため、紙幣計算の正確性の低下や運営全体への悪い影響を解決され、そして、プラスチックレバー4の工程は、剛性材質に比較して、より、加工しやいと重量が軽いということにより、より小型のモーターや吸気機を用いることができ、更に、紙幣計算機の軽量化や体積の低減、工程の簡素化及びコストの節約等の目的が実現される。
【００１５】
本考案は、以上の説明のように、吸引レバー表面上にある複数の吸引穴の幅を0.3ミリメートルに小さくすることにより、紙幣計算時、正確に吸引しやすいことに加え、吸引レバーが一回、複数の紙幣を吸引して計算正確性を低下する欠点が解決され、また、吸引レバーが、プラスチックレバーと金属リングとから組み立てられ、吸引レバーの工程がより簡単で、且つ、重量が軽いため、より小型のモーターや吸気機を用いることができ、紙幣計算機の体積の低減や軽量化及びコストの節約が実現される紙幣計算機の吸引レバーの構造改良を提供できる。
【００１６】
以上は、本考案のより良い実施例だけであり、本考案の実施範囲は、それによって制限されるものではない。本考案の登録請求の範囲に記載される形状や構造、特徴及び精神に従って、等価な変更や修正は、全てが、本考案の登録請求の範囲に含まれている。
【図面の簡単な説明】
【００１７】
【図１】本考案に係わる紙幣計算機の吸引レバーの立体構造の概念図
【図２】本考案に係わる紙幣計算機の吸引レバーの構造分解の概念図
【図３】本考案に係わる紙幣計算機の主な立体構造の概念図
【図４】本考案に係わる吸引レバーの吸引穴の立体構造拡大の概念図
【符号の説明】
【００１８】
2 …吸引レバー
4 …プラスチックレバー
6 …金属リング
8 …レバーヘッド
10…レバー体
12…レバーテール
14…吸気孔
16…封止カバー
18…吸引穴
20…凹槽
22…フラットな円盤
24…上凸縁
26…下凸縁
28…バックル
30…回転ホイール
32…挟み板
【図１】
0003111192.tif 000003
【図２】
0003111192.tif 000004
【図３】
0003111192.tif 000005
【図４】
0003111192.tif 000006
【手続補正書】
【提出日】平成17年3月29日(2005.3.29)
【手続補正１】
【補正対象書類名】実用新案登録請求の範囲
【補正対象項目名】全文
【補正方法】変更
【補正の内容】
【実用新案登録請求の範囲】
【請求項１】
中空のレバー状であり、その上側にあるレバーヘッドに、平面的な外表面が設けられ、その上に、少なくとも一つの吸気孔が設けられ、下縁に、表面にスレッドがあるレバーテールが設けられ、スレッドにより、回転ホイール上に螺合されるプラスチックレバーと、高さが当該プラスチックレバーの当該レバーヘッドより少し低い、当該レバーヘッド上に固定される当該金属リングと当該吸気孔と接合して対向するところに、複数の幅が0.2〜0.4ミリメートル（MM）である吸引穴が設けられる金属リングと、が含有されることを特徴とする紙幣計算機の吸引レバーの構造。
【請求項２】
当該レバーヘッドの中空部上縁には、封止カバーが嵌合され、吸気機は、当該吸引穴だけを介して吸気することを特徴とする請求項1に記載の紙幣計算機の吸引レバーの構造。
【請求項３】
当該レバーヘッドの外部において、表面がやや厚い一側には、当該金属リングの一つのバックルが嵌入されるための凹槽が設けられることを特徴とする請求項1に記載の紙幣計算機の吸引レバーの構造。
【請求項４】
当該レバーヘッドの上下両凸縁は、当該金属リングの両端に係合され、当該金属リングは、上下へ移動できないことを特徴とする請求項1に記載の紙幣計算機の吸引レバーの構造。
【請求項５】
当該プラスチックレバーの一つのレバー体上には、当該レバー体と当該レバーテールとを隔離するフラットな円盤が設けられることを特徴とする請求項4に記載の紙幣計算機の吸引レバーの構造。
【請求項６】
当該吸引穴の幅は、0.3ミリメートルであることを特徴とする請求項1に記載の紙幣計算機の吸引レバーの構造。
【手続補正２】
【補正対象書類名】明細書
【補正対象項目名】全文
【補正方法】変更
【補正の内容】
【考案の詳細な説明】
【技術分野】
【０００１】
本考案は、紙幣計算機の吸引レバーの構造に関し、特に、紙幣計算機の吸引レバー
の透気穴のサイズ改良に関する。
【背景技術】
【０００２】
人類の文明において、最初の物の交換から、銀銭やコインが用いられるなどのいろんな変化や改良を介して、今のように、紙幣が登場したが、金額の異なる紙幣の登場により、重いお金を持ち歩かなくても、膨大な消費能力を持ち、そして、近年来、技術の発展や工商業の発達に従って、銀行や金融機関は、大量な現金を処理することに頭が痛み、そのため、紙幣計算機が登場した。
【０００３】
従来の紙幣計算機は、多い部品が硬質の金属を使い、例えば、吸引レバーであって、吸引レバーが製作しにくく且つ重いし、従来の吸引レバーの表面に、一つだけの吸引穴を貫通し、吸引レバーで紙幣を吸引する場合、吸引できないや吸引しすぎの現象が起こり、最悪の場合、紙幣が変形することになるため、計算が不正確的であり、実用上、不十分なところがある。
【０００４】
従来の他の実施態様は、吸引レバーの表面に、複数の吸引穴を貫通し、それにより、紙幣を吸引することが容易になり、そして、計算する時の紙幣の変形が解消され、紙幣計算機で紙幣を計算する時、より正確的になるが、紙幣に穴が空いている場合であれば、吸引レバーが、一回二枚以上の紙幣を吸引するから、計算の正確性が悪化し、運営全体に悪い影響を与える。
【０００５】
そのため、本考案は、上記の問題を解決するため、上記の問題を解決できる、紙幣計算機の吸引レバーの構造を提供する。
【考案の開示】
【考案が解決しようとする課題】
【０００６】
本考案の主な目的は、吸引レバーの表面にある複数の吸引穴の幅を0.3ミリメートル（M
M）に縮小することにより、吸引レバーが一回多数の紙幣を吸引して、正確性が低減する
欠点を解消できる、紙幣計算機の吸引レバーの構造を提供する。
【０００７】
本考案の他の目的は、プラスチックレバーと金属リングの組み立てにより、吸引レバーを構成することにより、吸引レバーの工程の簡素化且つ重量の低下化を実現できる、紙幣計算機の吸引レバーの構造を提供する。
【０００８】
本考案の更に他の目的は、吸引レバーを軽量化することにより、より小型のモーターや吸気機が使えるようになり、紙幣計算機の体積の縮小や重量の低減及びコストの節約を実現できる、紙幣計算機の吸引レバーの構造を提供する。
【０００９】
本考案の更に他の目的は、金属リング上に複数の吸引穴を設け、複数の吸引穴で紙幣を吸引することにより、計算する時、紙幣をより容易に吸引できる且つ正確的である、紙幣計算機の吸引レバーの構造を提供する。
【００１０】
本考案の更に他の目的は、様々のタイプの機構や金融銀行の大量な貨幣清算において、
過ちのない且つ損失の少ない貨幣の計算作業に適合する、紙幣計算機の吸引レバーの構造を提供する。
【課題を解決するための手段】
【００１１】
本考案は、上記の目的を達成するため、中空のプラスチックレバーと、高さがプラスチックレバーのレバーヘッドより少し低い、レバーヘッド上に固定される金属リングとからなる紙幣計算機の吸引レバーの構造を提供し、このプラスチックレバーの上側にあるレバーヘッドには、平面的な外表面が設けられ、その上には、少なくとも一つの吸気孔が設けられ、レバーヘッドの下縁には、表面にスレッドがあるレバーテールが設けられ、スレッドにより、回転ホイール上に螺合され、この金属リングと吸気孔と接合して対向するところには、複数の幅が0.2〜0.4ミリメートルである吸引穴が設けられる紙幣計算機の吸引レバーの構造を提供する。
【００１２】
以下、具体な実施例に加え、図面を参照しながら、本考案に係わる目的や技術内容、特徴及び効果を詳しく説明する。
【考案を実施するための最良の形態】
【００１３】
本考案は、紙幣計算機の吸引レバーの構造であり、図1、2を参照しながら、本考案
に係わる紙幣計算機の吸引レバー2は、射出成形のプラスチックレバー4と、金属リング6
とから組み立てられ、このプラスチックレバー4は、中空のレバー状であり、更に、レバ
ーヘッド8、レバー体10、及びレバーテール12等の三つの部分に分けられ、プラスチック
レバー4上側のレバーヘッド8には、平面設計である外表面が設けられ、その上には、貫通する少なくとも一つの吸気孔14があり、また、吸引レバー2上縁には、吸気機（図に未表示）が吸気する時、金属リング6と吸気孔14とが接合するところを貫通する複数の吸引穴18だけを介して紙幣を吸引するための、封止カバー16が嵌合され、レバーヘッド8の外部において、表面がやや厚い一側には、金属リング6が嵌入されるための凹槽20が設けられ、プラスチックレバー4の下縁には、表面にスレッドが固設されるレバーテール12が設けられ、図3を参照しながら、プラスチックレバー4は、スレッドによって、回転ホイール30上にロックされ、レバー体10は、円柱レバーであり、下方には、レバー体10とレバーテール12とを隔離するフラットな円盤22が固設され、レバーヘッド10上において、下縁の両側に、金属リング6と接合するためのレールを形成する凸縁24、26が凸設され、金属リング6の高さは、レバーヘッド8よりやや低く、レバーヘッド8のレールに接合される時、レバーヘッド8の上凸縁24と下凸縁26は、金属リング6の両端に係合され、これにより、金属リング6は、上下へ移動できず、また、金属リング6の一つのバックル28がレバーヘッド8の厚い側の凹槽20に嵌入されることにより、金属リング6は、更に固定され、また、金属リング6と吸気孔14と接合するところには、幅が0.2〜0.4ミリメートルである複数の吸引穴18が設けられ、吸引穴18の幅は、好ましいのが、0.3ミリメートルであり、これにより、吸引穴18が紙幣を吸引して計算する時、紙幣は、変形せず、また、吸引レバー2が紙幣を吸引することは、容易的になり、紙幣計算機の計算は、より正確的である。
【００１４】
本考案を実施する時、図3を参照しながら、吸引レバー2の下方は、回転ホイール30上にロックされ、回転ホイール30の中心には、吸気機（図に未表示）を連結するための吸気管が固設され、モーターが稼働することに従って、回転ホイール30上の吸引レバー2が稼働され、吸引レバー2が挟み板32まで移動すると、吸引穴18により、挟み板32にある紙幣が吸引され、紙幣の計算が完成される。そして、図4を参照しながら、複数の吸引穴18の幅は、0.3ミリメートルに小さくして、吸引の単位面積が縮小され、これにより、紙幣に穴が空いている時、従来の吸引レバーが一回、二枚以上の紙幣を吸引することを徹底的に解消するため、紙幣計算の正確性の低下や運営全体への悪い影響を解決され、そして、プラスチックレバー4の工程は、剛性材質に比較して、より、加工しやいと重量が軽いということにより、より小型のモーターや吸気機を用いることができ、更に、紙幣計算機の軽量化や体積の低減、工程の簡素化及びコストの節約等の目的が実現される。
【００１５】
本考案は、以上の説明のように、吸引レバー表面上にある複数の吸引穴の幅を0.3ミリ
メートルに小さくすることにより、紙幣計算時、正確に吸引しやすいことに加え、吸引レバーが一回、複数の紙幣を吸引して計算正確性を低下する欠点が解決され、また、吸引レバーが、プラスチックレバーと金属リングとから組み立てられ、吸引レバーの工程がより簡単で、且つ、重量が軽いため、より小型のモーターや吸気機を用いることができ、紙幣計算機の体積の低減や軽量化及びコストの節約が実現される紙幣計算機の吸引レバーの構造を提供できる。
【００１６】
以上は、本考案のより良い実施例だけであり、本考案の実施範囲は、それによって制限されるものではない。本考案の登録請求の範囲に記載される形状や構造、特徴及び精神に従って、等価な変更や修正は、全てが、本考案の登録請求の範囲に含まれている。
【図面の簡単な説明】
【００１７】
【図１】本考案に係わる紙幣計算機の吸引レバーの立体構造の概念図
【図２】本考案に係わる紙幣計算機の吸引レバーの構造分解の概念図
【図３】本考案に係わる紙幣計算機の主な立体構造の概念図
【図４】本考案に係わる吸引レバーの吸引穴の立体構造拡大の概念図
【符号の説明】
【００１８】
2 …吸引レバー
4 …プラスチックレバー
6 …金属リング
8 …レバーヘッド
10…レバー体
12…レバーテール
14…吸気孔
16…封止カバー
18…吸引穴
20…凹槽
22…フラットな円盤
24…上凸縁
26…下凸縁
28…バックル
30…回転ホイール
32…挟み板